Podtech/llm-jp-corpus-v4-ja_patent huggingface dataset:
(57)【要約】      （修正有）【課題】圧縮袋を数個収納し且つ、それ自体を数段重ねて収納できる折畳圧縮ボックスにおいて、安価に製造可能で且つ、該折畳圧縮ボックスの備蓄時にコンパクトに折り畳むことの出来る折畳圧縮ボックスを提供する。【解決手段】箱体を形成するのに必要な６面を、「蓋・後側・底」の部分１と「左側・前側・右側」の部分２の二つにわけて原反から裁断し、この二つの部分の端面をファスナー３などで箱状に接続する。【選択図】図２
0003142550.tif 000002
【実用新案登録請求の範囲】
【請求項１】
圧縮ボックスの芯体を［蓋・後側・底］と［左側・前側・右側］の２部に分け、それぞれ３面が自在に折れる連結状態とし、かつ２部分が勘合して互いに接続し、箱を成すもの。
【考案の詳細な説明】
【技術分野】
【０００１】  本考案は、圧縮ボックスにおいて、使用中でなく  備蓄時  いかにコンパクトに折畳むかの  工夫である。
【背景技術】
【０００２】  従来  圧縮ボックスは  圧縮袋や外袋が折畳めても、ボックス自体が折畳めなかった。やむなく、ボックスを形成する六面の内幾面かの剛性を諦めるか、裁断に不利でも  箱の展開図とおりに剛体を連続配置していた。【０００３】  しかし、幾面かの剛性を諦める事は格納時ボックス自体積上げに不安で、さりとて、六面全て連続している事は剛体化した圧縮袋を格納する時剛体同上で扱い難いものである。
【考案の開示】
【考案が解決しようとする課題】
【０００４】  圧縮ボックスにおいて、圧縮性は圧縮袋が  保存性は外袋が分担し  残る格納性を外袋の剛性芯体により得る事とする。【０００５】  芯体を六つの面材として  その展開図の如く裁断したら  芯体の原反に六面分の無駄が生まれる。
【課題を解決するための手段】
【０００６】  必要な六面を［蓋・後側・底］と［左側・前側・右側］の２部に分け、それぞれ３面が同一幅員の原反から裁断する。【０００７】［蓋・後側・底］と［左側・前側・右側］の２部材のそれぞれ３面が自在に折れる連結状態とし、かつ２部分が勘合して互いに接続し、恰も箱を成す様にする。
【考案の効果】
【０００８】  必要な剛性と耐久性を持つ芯材は高価であり、六面分を得るのに六面分を捨てるのを避け、［蓋・後側・底］と［左側・前側・右側］の２部に分ける事により、無駄を無くせる。
【考案を実施するための最良の形態】
【０００９】図１のように［蓋・後側・底］と［左側・前側・右側］の２部に分け、それぞれ３面が自在に折れる連結状態とし、かつ２部分が勘合して互いに接続し、箱を成すもの。
【実施例１】
【００１０】図２のように［蓋・後側・底］と［左側・前側・右側］の２部が互いに接続し、箱を成すもの。
【産業上の利用可能性】
【００１１】  段ボールのような安価で再生率の良い材料は別として、合成皮革などで箱状の物を作る場合［蓋・後側・底］と［左側・前側・右側］の２部に分け、八辺をファスナーなどで封じて成す事は  産業上の利用可能性が多い。
【図面の簡単な説明】
【００１２】
【図１】  ［蓋・後側・底］と［左側・前側・右側］の２部に分け、それぞれ３面が自在に折れる連結状態とし、かつ２部分が勘合して互いに接続し得るもの。
【図２】  ［蓋・後側・底］と［左側・前側・右側］の２部に分け、それぞれ３面が自在に折れる連結状態とし、かつ２部分が勘合して互いに接続し、箱を成すもの。
【符号の説明】
【００１３】  １  ［蓋・後側・底］の部分
２  ［左側・前側・右側］の部分
３  ファスナー
【図１】
0003142550.tif 000003
【図２】
0003142550.tif 000004
(57)【要約】      （修正有）【課題】バイオマス燃料と燃焼空気を供給し、補助バーナーとの混焼により連続的に乾燥、ガス化、燃焼、灰化を先端部に向って安定して行うバイオマス燃焼装置を提供する。【解決手段】先端部を乾燥機、ボイラー等の炉内３に挿入し、内部の耐火材に乾燥、ガス化、燃焼、灰化に必要な滞留長さと燃焼量に必要な容積を持ち、基部から先端部に固形燃料を定量搬送出来る断面を持つ螺旋溝１３を備えた回転筒１と回転筒１を支える可変可能な駆動装置に連接した駆動ローラー２がある。基部には固形燃料の燃焼を安定させる補助バーナー５、バイオマス燃料投入口７、固形燃料の燃焼に必要な二次燃焼空気吐出ノズル９を備えた固定フード４がある。【選択図】図１
0003142548.tif 000002
【実用新案登録請求の範囲】
【請求項１】
機器の炉内に油又はガスとバイオマス燃料とを併用して燃焼させるバイオマス燃焼装置であって、先端を炉内に挿入し、内部にバイオマス燃料を先端方向に移動させる螺旋状に溝を備えた回転筒と、基部にバイオマス燃料の燃焼を補助するためのバーナーとバイオマス燃料投入口と燃焼空気用フアンに連接した空気入口を備えた固定フードを具備することを特徴とするバイオマス燃焼装置。
【考案の詳細な説明】
【技術分野】
【０００１】  この考案は、従来のガス又は油焚燃焼設備において、代替燃料としてバイオマスや有機性廃棄物を効率よく燃焼させるための燃焼装置に関するものである。
【背景技術】
【０００２】  従来から、燃焼装置としては、バイオマスバーナー（例えば、特許文献１参照）、ガス化燃焼方式（例えば、特許文献２参照）等が一般的である。
【特許文献１】特開平６−１９３８１４号  公報
【特許文献２】特開２００４−２９２７６８号  公報
【考案の開示】
【考案が解決しようとする課題】
【０００３】  このようにバイオマスや有機性廃棄物等を従来の諸方式で燃焼するには、燃焼効率が低く、安定した燃焼が得られず、焼却灰の処理も煩雑であった。【０００４】  また、固体燃料の場合、乾燥、ガス化、燃焼するまでに大量の熱が必要であり、固体燃料の攪拌を行なっても完全に灰化することは困難である。
【課題を解決するための手段】
【０００５】  本考案は、上記の問題点を解決するために内部に螺旋溝を備えた回転筒の基部からバイオマス燃料と燃焼空気を供給し、補助バーナーとの混焼により連続的に乾燥、ガス化、燃焼、灰化を先端部に向って安定して行うことを可能にした。
【考案の効果】
【０００６】  以上に説明したように、本考案のバイオマス燃料や有機性廃棄物のバイオマス燃焼装置は、従来不向きだった加圧燃焼が出来、バイオマスバーナーとして、既存のガスや油焚きバーナーと併用することで兼価な燃焼を提供でき、装置の小型化、作業の省力化等の効果を有し、バイオマス燃料や有機性廃棄物の燃焼に適した安定した連続ガス化燃焼が出来る。
【考案を実施するための最良の形態】
【０００７】  本考案の実施例を添付図面にもとづき説明する。図１はバイオマス燃焼装置の断面図である。
先端部を乾燥機、ボイラー等の炉内（３）に挿入し、内部の耐火材に乾燥、ガス化、燃焼、灰化に必要な滞留長さと燃焼量に必要な容積を持ち、基部から先端部に固形燃料を定量搬送出来る断面を持つ螺旋溝（１３）を備えた回転筒（１）と回転筒（１）を支える可変可能な駆動装置に連接した駆動ローラー（２）がある。【０００８】  基部には固形燃料の燃焼を安定させる補助バーナー（５）、バイオマス燃料投入口（７）、固形燃料の燃焼に必要な二次燃焼空気吐出ノズル（９）を備えた固定フード（４）がある。【０００９】  バイオマス燃料投入口（７）の固形燃料による閉鎖及び加圧燃焼時バイオマス供給バルブ（１０）方向への高温ガスの逆流を防ぐための一次燃焼空気入口（６）、二次燃焼空気入口（８）はそれぞれ調整弁を介しターボファンに連接している。【００１０】  固形燃料はバイオマス供給バルブ（１０）より定量供給されバイオマス燃料投入口（７）より回転筒（１）内に備えた螺旋溝（１３）に供給され、回転筒（１）の燃焼速度に合せた回転により安定した乾燥、ガス化、燃焼、灰化が出来、炉内（３）の灰だし装置（１４）より外部に排出される。
【産業上の利用可能性】
【００１１】  石油、ガス燃料の代替燃料としてバイオマス、有機性廃棄物、建築解体木屑ペレット等を安定して連続燃焼することができ、従来石油、ガスを使用しては出来なかった低付加価値廃棄物等への乾燥、熱利用が可能である。
【図面の簡単な説明】
【００１２】
【図１】本考案の断面図である。
【図２】本考案の正面図である。
【符号の説明】
【００１３】      １    回転筒
２    駆動ローラー
３    炉内
４    固定フード
５    補助バーナー
６    一次燃焼空気入口
７    バイオマス燃料投入口
８    二次燃焼空気入口
９    二次燃焼空気吐出ノズル
１０  バイオマス供給バルブ
１１  バイオマス貯留タンク
１２  耐火材
１３  螺旋溝
１４  灰だし装置
【図１】
0003142548.tif 000003
【図２】
0003142548.tif 000004
(57)【要約】      （修正有） 【課題】衛生的で且つ堅牢で耐久性を備えている中空柄の全金属製包丁において、金属色からくる使用時の冷たいイメージ、並びに使用時の滑り易さからくる（危険感）を改善する包丁を提供する。【解決手段】中空体の金属柄部２１と刀身部１と一体に形成した全金属製包丁において、金属柄部２１の表面全体を適宜な塗膜（例えば漆を混合した塗料や、固形分を混合した塗料の塗布によって形成する）２２で被覆し、所望の外観と所定の機能を奏する柄部２を備えた包丁を提供する。【選択図】図１
0003142587.tif 000002
【実用新案登録請求の範囲】
【請求項１】
中空体の金属柄部を刀身部と一体に形成した全金属製包丁において、金属柄部の表面全体を適宜な塗膜で被覆してなることを特徴とする包丁。
【請求項２】
塗膜が滑り止め機能を備えた塗膜である請求項１記載の包丁。
【請求項３】
塗膜を形成する塗料に漆を含有させ、柄部が漆面風外観を備えてなる請求項１又は２記載の包丁。
【請求項４】
塗膜を形成する塗料に固形分を混合して、滑り止め機能を強化してなる請求項２記載の包丁。
【考案の詳細な説明】
【技術分野】
【０００１】
本考案は、特に全金属製の包丁に関するものである。
【背景技術】
【０００２】
包丁は、一般に刃を備えた刀身の中子（タング）の両側面に木製柄片や樹脂柄片を配すると共に、リベットで連結して柄を形成している。しかしこれらの構造の柄は、耐久性に乏しいし、隙間等に雑菌が繁殖しやすいので、柄部分も金属で形成した全防錆金属製包丁が提案されている（特許文献１）。
【０００３】
前記の全金属製包丁は、所定の靭性と硬さを備えた材質（硬質ステンレス鋼）で形成された刀身と中空体（最中形状）の柄を溶接して一体に形成すると共に、適宜研磨仕上げをして製出するもので、必要に応じて中空体内に重量バランス調整部材を充填している。
【０００４】
【特許文献１】特開２０００−１８９６８２号公報。
【考案の開示】
【考案が解決しようとする課題】
【０００５】
前記の金属製包丁の柄部分は、特許文献１に開示されていように表面に多数の窪みを形成したり、その他ミラー仕上げやシボ加工仕上げが施されている。
【０００６】
しかし表面に凹凸面を形成したり、シボ加工を施しても使用時に柄を握持した際に、滑ってしまう感覚が残ってしまうし、現に滑る場合もある。更に冬季の使用に際しては冷たさを感じてしまい、しっかりと握ることを阻害する。
【０００７】
このように全金属製最中柄の包丁は衛生的であり、堅牢で耐久性を備えている利点はあるが、金属色であるために使用時に危険感を伴ってしまう。
【０００８】
そこで本考案は、使用時の危機感を生じさせることがなく、またより安全に使用できる新規な全金属製の包丁を提案したものである。
【課題を解決するための手段】
【０００９】
本考案に係る包丁は、中空体の金属柄部を刀身部と一体に形成した全金属製包丁において、柄部表面全体を適宜な塗膜で被覆してなることを特徴とするもので、特に塗膜が滑り止め機能を備えたものとしたものである。
【００１０】
而して柄部が非金属色の外観を呈するので、外見的な使用時の危機感（滑り易さ、冷却感）を想起させないし、現実に冷たい触感は感じないし、更に滑り止めによる安全性が確保できる。
【００１１】
また本考案（請求項３）は、塗膜を形成する塗料に漆を含有させ、柄部が漆面風外観を備えてなるもので、和風のイメージを備えた包丁となる。
【００１２】
更に本考案（請求項４）は、特に塗膜を形成する塗料に固形分を混合して、滑り止め機能を強化してなるもので、滑り止め機能の増加に伴って使用時の安全性もより以上高められることになる。
【考案の効果】
【００１３】
本考案の構成は上記のとおりで、衛生的で堅牢であるという全金属製包丁の利点を備えたまま、外観からの使用時の安全性のイメージ付与並びに現実の使用時における安全性を高めたものである。
【考案を実施するための最良の形態】
【００１４】
次に本考案の実施形態について説明する。実施形態に示した包丁は、基本的に従前の全金属製の包丁と同様に金属で形成された刀身部１と柄部２からなるもので、柄部２は金属柄部２１と塗膜２２で構成される。
【００１５】
刀身部１は、適宜な靭性と硬さを備えた材質（硬質ステンレス鋼）で形成された、金属柄部２１は、扁平半筒状の２個の部材を突き合わせて中空体とするもので、刀身部１の基部のコミ（タングの先部のみをいう）を中空体（柄部２）の先端部分に溶着して刀身部１と金属柄部２１を一体に形成し、更に研磨仕上げを行う。
【００１６】
そして柄部２は、金属柄部２１の表面全体に塗膜２２を塗着して形成したもので、塗膜２２を形成する塗料は、ウレタン系塗料でもエポキシ系塗料でも適用できるが、特に受けタン系塗料に漆を適宜量混入して塗布すると、柄部２の外観が漆面風外観を備えることになり、和風のイメージを備えた包丁を提供することができる。
【００１７】
勿論塗膜２２の存在によって、使用時に直接金属柄部２１に触れないので、冷却感もなく、また塗面によって金属面に比較して滑り止めとなるものである。
【００１８】
また滑り止め機能を強化させたい場合には、塗膜２２を形成する塗料内に微小粒状の固形分を適宜量混合し、この塗料を塗布して塗膜２２を形成すると良い。
【図面の簡単な説明】
【００１９】
【図１】本考案の実施形態の一部裁断した正面図。
【符号の説明】
【００２０】
１      刀身部
２      柄部
２１    金属柄部
２２    塗膜
【図１】
0003142587.tif 000003
(57)【要約】【課題】飲食店を出店する場合、受注を受けた工務店は、個々の業者で順次施工していくため、工期がながびき、費用も膨らむ傾向にあり、なおかつ、店舗が完成するまではその品質と機能の予測をする事がむずかしかった。これを解決するために、飲食店に必要な設備と組立ハウスを一体化した物を工場にて製作を行ない、即、営業する事が可能にできる設備付組立式飲食店舗を提供する。【解決手段】工場にて規格化された材料と設備機器を使用し、システム化された工法により、組立ハウス１の中に冷暖房機器２、電灯３、排気フード４、給気口５、手洗器６、調理機器７、換気扇８、排気口９、看板１０を取付けて製作する事により、コストを下げ、高品質と機能にすぐれ、短い工期で営業する事を可能とした、設備付組立式飲食店舗を製作できるようにする。【選択図】図２
0003142512.tif 000002
【実用新案登録請求の範囲】
【請求項１】
設備が内蔵された飲食店舗を規格化して量産できるように工場で組立製作し、組立ハウス１の中に冷暖房機器２、電灯３、排気フード４、給気口５、手洗器６、調理機器７を取付け、排気フード４の中に換気扇８を取付けて排気口９に接続し、組立ハウス１に看板１０を取付けて飲食店舗として完成させたものである。すなわち組立式ハウスと飲食店に必要な設備、看板、装飾品を一体化して完成させ、店全体を持ち運びができる構造とした設備付組立式飲食店舗。
【考案の詳細な説明】
【技術分野】
【０００１】この考案は組立ハウスに空調設備、換気設備、電気設備、厨房設備、調理機器、看板を設置して、組立ハウスと設備、看板、装飾を一体化し、持ち運びのできるようにした飲食店舗に関するものである。
【背景技術】
【０００２】従来、組立ハウスにトイレ、洗面所、エアコン等を設置し、住宅や事務所として利用していたものはあった。しかし完全な飲食店を目的として、組立ハウスに各必要設備を組み込んで一体化させた設備付組立式飲食店舗として完成させ、販売できる商品はなかった。その為、飲食店を出店しようとすれば準備段階に時間を費やし、工務店も受注後、個々の業者で順次施工していくため工期が長くなり、費用も膨らみがちとなり、その上、完成するまで店舖としての機能と、品質を確認することがむずかしかった。
【考案の開示】
【考案が解決しようとする課題】
【０００３】この考案は組立ハウスと飲食店に必要な設備を一体化し、飲食店として食品を作るための完璧な機能と、高品質、安価、工期の短縮を可能にした飲食店舗を開発しようとするものである。
【課題を解決するための手段】
【０００４】（イ）工場にて使用する材料、部品、設備機器を規格化して、店舗の形式を設定し、システム化された工法で組立及び取付を行ない、完成後の検査と試運転を行なう。
（ロ）組立ハウスに設備を組み込んでユニット化し、運搬可能な構造にする。
（ハ）完成後の飲食店舗を展示し公開する。
【考案の効果】
【０００５】（イ）工場にてシステム化された工法により量産が可能となり、規格化された材料と部品と設備機器を使用する事によりコストを下げると共に、高品質が可能となり、工場での検査、試運転をする事により事前の不良箇所をチェックでき、完璧な商品を作る事が可能となった。
（ロ）展示された完成商品を見る事ができるので、事前にスペース、価格、機能、工期を知る事ができ計画が立てやすくなった。
（ハ）飲食店舗として完成された商品を購入する事により、目的地に運搬設置するだけで営業する事ができるようになり、大幅に手間と工期が短縮されるようになった。
【実施例１】
【０００６】（イ）組立ハウス１の中に冷暖房機器２、電灯３、排気フード４、給気口５、手洗器６、調理機器７を設置する。
（ロ）壁と排気フード４に穴を開け、換気扇８を取付け、排気口９に接続する。
（ハ）組立ハウス１に看板１０を取付ける。
【実施例２】
【０００７】（イ）調理機器７は作る商品によって選定設置できる。例えば、たこ焼きであれば、たこ焼機となり、焼き鳥であれば、串焼機を設置する。
（ロ）冷暖房機器２、電灯３、排気フード４、給気口５、手洗器６、調理機器７、換気扇８、排気口９の各設備の配置は図面の通りでなくても機能をはたす配置であればよいし、不必要な設備があれば取り除いてもよい。
（ハ）排気フード４と換気扇８の代わりにレンジフード（排気フードと排気ファンを合体させたもの）を使用してもよい。
【実施例３】
【０００８】飲食店舗としては、焼き鳥屋、たこ焼屋、たい焼屋、おでん屋、お好み焼屋、うどん屋、ラーメン屋、弁当屋、ピザ屋、パン屋、ジュース屋等、飲食店であれば何でもよい。店内で飲食できる店舗でも、テイクアウト専門店舗でもよいし、店内で飲食できて、テイクアウトもできる店舗でもよい。
【図面の簡単な説明】
【０００９】
【図１】本考案の設備の配置を示すために建物の天井を取り除いた平面図である。
【図２】本考案の建物の内部を正面から見た断面図である。
【符号の説明】
【００１０】１    組立ハウス
２    冷暖房機器
３    電灯
４    排気フード
５    給気口
６    手洗器
７    調理機器
８    換気扇
９    排気口
１０  看板
【図１】
0003142512.tif 000003
【図２】
0003142512.tif 000004
【手続補正書】
【提出日】平成20年2月25日(2008.2.25)
【手続補正１】
【補正対象書類名】実用新案登録請求の範囲
【補正対象項目名】全文
【補正方法】変更
【補正の内容】
【実用新案登録請求の範囲】
【請求項１】
組立式飲食店舗において、
（１）組立式ハウス１の中に、冷暖房機器２、電灯３、排気フード４、給気口５、            手洗器６、調理機器７を取り付け、
（２）排気式フード４の中に、換気扇８を取付けて、排気口９に接続し、
（３）組立ハウス１に看板１０を取り付け、
（４）規格化して量産できるように工場で組立製作し、
（５）店全体を持ち運びができる構造とし、
以上からなる設備付組立式飲食店舗。
(57)【要約】      （修正有）【課題】落ち葉・ゴミ等による目詰まりが原因で雨水集水ますが水没しても、その位置がわかる施設を提供する。【解決手段】雨水集水ますに隣接する緑石又は植樹帯に設置する、雨水集水ますの位置を文言及び矢印で明記した樹脂製の貼り付け式マーク又は塩化ビニル製のポール。【選択図】図１
0003142519.tif 000002
【実用新案登録請求の範囲】
【請求項１】
浸水時に雨水集水ますが水没しても位置がわかるようにする事を目的とした、雨水集水ますの位置を明示する施設（マーク型及びポール型）。
【考案の詳細な説明】
【技術分野】
【０００１】  本考案は、雨水集水ますの位置の明示するための手法に関するものである。
【背景技術】
【０００２】  従来、浸水対策においては、雨水管渠等の雨水施設整備がメインであったが、雨水施設に雨が流入する前に、落ち葉・ゴミ等による目詰まりで雨水集水ますが詰まってしまい、雨水施設の能力に余裕があるにも係らず、浸水が発生するケースがしばしば見られる。また、ますが水没すると、その位置がわからなくなるため、浸水発生による通報を受けた職員が現地に急行しても、浸水被害解消が困難になってしまうことがある。
【考案の開示】
【考案が解決しようとする課題】
【０００３】  解決しようとする課題点は、落ち葉・ゴミ等による目詰まりが原因で雨水集水ますが水没してしまい、その位置がわからなくなってしまうので、雨水本管への取り込みがなされないまま浸水被害が拡大してしまうことである。
【課題を解決するための手段】
【０００４】  雨水集水ますの位置を明示し、浸水時に水没してもその位置がわかることを目的とした施設（マーク型及びポール型）を設置する。
【考案の効果】
【０００５】  本考案を用いることで、緊急時にますの位置が明示され、速やかに落ち葉・ゴミ等の除去を行うことができるようになるため、雨水施設の能力をより有効に活用することができるようになり、浸水防除の効果がある。【０００６】  また、このような目詰まりの問題に対しては、日常的なますの清掃が重要であり、当施設を設置してますの位置を明示することにより、ますの日常清掃に対する付近住民の意識を向上させることが期待できる。
【考案を実施するための最良の形態】
【０００７】  側溝縁石部に樹脂製マークを貼り付けて設置する。また、マークが植樹等により隠れてしまうような場合においては、塩ビ製のポールを埋め込みでます近傍に設置する。
【図面の簡単な説明】
【０００８】
【図１】集水ます表示施設の設置イメージを示した説明図である。
【図２】集水ます表示施設（マーク型）に関する詳細図である。
【図３】集水ます表示施設（ポール型）に関する詳細図である。
【図１】
0003142519.tif 000003
【図２】
0003142519.tif 000004
【図３】
0003142519.tif 000005
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
浸水時に雨水集水ますが水没しても位置がわかるようにする事を目的とし、隣接する縁石に設置する、雨水集水ますの位置を文言及び矢印で明記した樹脂製の貼付式マーク。
【請求項２】
浸水時に雨水集水ますが水没しても位置がわかるようにする事を目的とし、隣接する植樹帯に設置する、雨水集水ますの位置を文言及び矢印で明記した塩化ビニル製のポール。
(57)【要約】      （修正有）【課題】押しても引いても草が取れるような鎌を提供する。【解決手段】片刃だった鎌の刃を、背の方にも刃をつけたことにより、押しても引いても草が取れる。腹背に刃がついていることにより草の茂っているような場所でも先に押し切りすることによって回りがよく見え、引き切りすることで指先に傷をつけてしまうことがない。更に背側にも刃があるため、引いて草を取るよりも押して取る方が疲れにくく、安全かつ効率良く楽に草取りが出来る。【選択図】図１
0003142516.tif 000002
【実用新案登録請求の範囲】
【請求項１】
片刃の草取り鎌の背側にも刃をつけたことにより、引いても押しても草を取ることが出来る。指先も鎌の刃先も良く見え、安全かつ効率良く、楽に草取りが出来るものである。
【考案の詳細な説明】
【技術分野】
【０００１】  本考案は、押しても引いても草が取れるような鎌に関するものである。
【技術背景】
【０００２】  従来の草取り鎌は、手前にだけ動かして草を取るのが一般的であるが、草の茂っている場所では指先と刃先が見えにくく、自分の指先を傷つけてしまうこともある。
【考案の開示】
【考案が解決しようとする課題】
【０００３】  従来の草取り鎌は手前にだけ鎌を動かして草を取っていたが、そこで、従来の鎌の腹側だけにある刃を鎌の背の方にも刃をつけることで、安全かつ効率よく、楽に草が取れるようにするもの。
【課題を解決するための手段】
【０００４】  本考案は、従来の草取り鎌が腹側に刃があるだけだったものに鎌の背の方にも刃をつけることによって、指先と刃先が良く見えるようにした。
【考案の効果】
【０００５】  上述のように本考案の鎌は、腹背に刃がついていることにより草の茂っているような場所でも先に押し切りすることによって回りがよく見え、引き切りすることで指先に傷をつけてしまうことがない。更に背側にも刃があるため、引いて草を取るよりも押して取る方が疲れにくく、安全かつ効率良く楽に草取りが出来る。
【考案を実施するための最良の形態】
【０００６】  鎌の刃は腹側にだけついていたものを、山形に丸みをつけた鎌の背の方にも刃をつけたことにより、引くことはもちろん、押しても草が取れる。
【実施例】
【０００７】  以下の添付図面に従って一実施例を説明する。
従来の腹側だけに刃がついている鎌の背側に山形の丸みをつけたもの【０００８】  鎌の背側に山形の丸みをつけ、刃をつけたもの。【０００９】  本考案の一実施例は上述のごとくに構成からなる物である。
従来の片刃の草取り鎌の背側にも刃をつけて、引いても押しても草が取れる。
【図面の簡単な説明】
【００１０】
【図１】本考案引き押し切り鎌
【図２】木の葉型の引き押し切り鎌
【図３】三角形の引き押し切り鎌
【符号の説明】
【００１１】１  鎌本体
２  刃
３  楔
４  １、５を押さえる輪
５  持ち手
６  完成図
【図１】
0003142516.tif 000003
【図２】
0003142516.tif 000004
【図３】
0003142516.tif 000005
【図４】
0003142516.tif 000006
【手続補正書】
【提出日】平成20年3月11日(2008.3.11)
【手続補正１】
【補正対象書類名】実用新案登録請求の範囲
【補正対象項目名】全文
【補正方法】変更
【補正の内容】
【実用新案登録請求の範囲】
【請求項１】
片刃の草取り鎌の背側にも刃をつけたことを特徴とする引き押し切り鎌。
【手続補正２】
【補正対象書類名】明細書
【補正対象項目名】０００４
【補正方法】変更
【補正の内容】
【０００４】本考案の引き押し切り鎌は、片刃の草取り鎌の背側にも刃をつけたことを特徴としている。
【手続補正３】
【補正対象書類名】明細書
【補正対象項目名】００１０
【補正方法】変更
【補正の内容】
【００１０】
【図１】本考案引き押し切り鎌
【図２】木の葉型の引き押し切り鎌
【図３】三角形の引き押し切り鎌
【図４】引き押し切り鎌の全体図
【手続補正４】
【補正対象書類名】明細書
【補正対象項目名】００１１
【補正方法】変更
【補正の内容】
【００１１】１  鎌本体
２  刃
３  楔
４  １，５を押さえる輪
５  完成図
(57)【要約】      （修正有）【課題】パソコン・ワープロ等のキーボードを打つ作業に伴う、手、腕、肩等の疲労を軽減し、より作業効率を向上させるためにパソコン等キーボード用ハンドレストを提供しようとするものである。【解決手段】ハンドレスト本体１は、長方形の板の両端に脚部を接合し上部に手を乗せる構造とし、キーボード２の手前もしくは、キーボード２の手前部分にかぶせるように設置する。ハンドレスト本体１の上部に手のひら３の底掌部分を置くことにより、腕の重量を支える支点ができる。【選択図】図２
0003142518.tif 000002
【実用新案登録請求の範囲】
【請求項１】
本体をパソコン等キーボードの外形に余裕をもって設置するように強度剛性のあるプラスチック等の素材を用い、キーボードの幅より余裕のある長さと奥行きの３分の１程度の長さをもたせた長方形の板を作る。その板を上部天板とし、両端にキーボードの高さより余裕をもたせた寸法を有する脚部を接合し、
0003142518.tif 000004
本体をキーボードの手前もしくは上部手前にかぶせるように設置することによりキーボードより手前さらに数ミリ又は数センチ高い位置に手を置くスペースが確保できる。  これによりパソコン等の作業の際、キーボードの打ち込みが楽になり手・腕・肩等の疲労を軽減することを特徴とするパソコン等キーボード用ハンドレスト。
【考案の詳細な説明】
【技術分野】
【０００１】  本考案はパソコン等を使用する際、キーボード手前上方に手のひらの底掌部分を置くスペースを作ることにより、キーボードを打つ作業に伴う手・腕・肩等の疲労を軽減することができるパソコン等キーボード用ハンドレストに関するものである。
【背景技術】
【０００２】  狭いパソコンデスク等を用いてパソコン等のキーボードを打つ作業を行う際手を置くスペースが少なくさらに長時間手を宙に浮かせた状態を保つことがありその姿勢を維持するために手・腕・肩等に負担がかかり疲労がたまる事が多かった。【０００３】  スペースに余裕のあるデスク、または昨今のノートパソコン等はキーボード上手前部分に手を置くスペースが確保されており、底掌部分を接地した状態でキーを打つことが可能であるが、手首から手の甲、指先にかけてわずかにこれを上方に維持する状態が必要であり、手のひら指先にも力が入り負担がかかる事があった。
【考案が解決しようとする課題】
【０００４】  本考案はパソコン・ワープロ等のキーボードを打つ作業を長時間行うと手、腕、肩等に疲労がたまりやすいことに着目し、人間の腕の重量を受けるように支えるスペースをキーボード手前上方に作ることによりパソコン作業等に伴う身体的疲労やストレスを軽減させようとするものである。
【課題を解決するための手段】
【０００５】
0003142518.tif 000003
ド手前もしくはキーボード手前部分にかぶせるように設置する。
ここに手のひらの底掌部分を置くことにより腕の重量を支える支点ができる。
本来キーボードのキーは上方からたたくように設計されており、キーボードより高い位置に手のひらの底掌部分を置くことにより腕、手首、手の甲にかけてのラインがよりフラットな状態に近くなり指先の力も抜けて、上から下へより理に適った状態で長時間、軽快にキーボードを打つことが出来、手、腕、肩等の負担や疲労を軽減する等の問題を解決している。
【考案を実施するための最良の形態】
【０００６】  ハンドレスト本体の形状は、長方形の板の両端に脚部を接合して上部に手を乗せる構造となる。強度を持たせることにより腕の重量を支えることが可能となる。
【実地例】
【０００７】  以下、添付図面に従って一実施例を説明すれば  １はハンドレスト本体２はパソコンキーボード  ３は手である。
【産業上の利用可能性】
【０００８】  本考案の実施例は上記のような構成で長時間キーボードを打つ際疲労が軽減できるだけでなく、デスクトップ、ノートパソコン、ワープロなどあらゆるタイプの機種のキーボードに対応が可能である。
また脚部の高さや天板を前後に傾斜させる調節機能を付加することにより、利用者に幅広く対応でき、構造も簡単、しかもローコストで工業生産も容易である。
【図面の簡単な説明】
【０００９】
【図１】  本考案の全体を示す斜視図である。
【図２】  本考案の側面図及び実施例である。
【符号の説明】
【００１０】  （１）    ハンドレスト
（２）    キーボード
（３）    手
【図１】
0003142518.tif 000005
【図２】
0003142518.tif 000006
【手続補正書】
【提出日】平成20年3月7日(2008.3.7)
【手続補正１】
【補正対象書類名】実用新案登録請求の範囲
【補正対象項目名】全文
【補正方法】変更
【補正の内容】
【実用新案登録請求の範囲】
【請求項１】
パソコン等のキーボード打ち込み作業を行う際、キーボードの幅より余裕のある長さ、奥行き３分の１程度の長さを有する長方形の板の両端に脚部をもたせ
0003142518.tif 000007
前部分にかぶせるように設置し本体上部に手を置くことにより、手、腕、肩等の疲労を軽減することを特徴とするパソコン等キーボード用ハンド・レスト。
(57)【要約】      （修正有）【課題】従来の刷毛は、建築物や家具などの塗りたくない部分が隣接している入隅部分などを塗る際、熟練した高度な技術が要求され、小さな刷毛をもう一本用意する必要もあったので手間がかかった。【解決手段】刷毛の植毛部分（歯ブラシでいうヘッド部分）２を、平行四辺形ないし菱形にすることで鋭角部分ができ、その先端部分を使って入隅部分などを塗りやすくしたことを特徴とする。さらに、従来の植毛部分が長方形のものと比べても植毛部分２の面積自体は同じであるから塗料などの含み量は変わらない。【選択図】図２
0003142520.tif 000002
【実用新案登録請求の範囲】
【請求項１】
液体を塗布することを目的とした毛の植毛部分が平行四辺形ないし菱形の刷毛
【考案の詳細な説明】
【技術分野】
【０００１】
本考案は液体を塗布することを目的とした刷毛に関するものである。  
【背景技術】
【０００２】
従来の刷毛の植毛部分（歯ブラシでいうヘッド）は四角あるいは長方形であった。
【考案の開示】
【考案が解決しようとする課題】
【０００３】
従来の刷毛は建築物や家具などの塗りたくない部分が隣接している入隅部分を塗る際、熟練した高度な技術が要求され、小さな刷毛をもう一本用意する必要もあった。
【課題を解決するための手段】
【０００４】
柄の先端の毛を植毛する部分を平行四辺形ないし菱形にする。
【考案の効果】
【０００５】
毛の植毛部分を平行四辺形や菱形にすることによって鋭角の部分が出来る。この部分を使うことで、直角の入隅部分や狭い場所が塗りやすくなる。刷毛を持つ本数も減り、スピードアップも図れる。そして、従来の植毛部分が長方形のものと比べても植毛部分の面積自体は同じであるから塗料などの含み量は変わらない。
【考案を実施するための最良の形態】
【０００６】
従来の刷毛の柄に平行四辺形の植毛部分を取り付け、毛の硬さは被塗物が平滑面か、粗面かにより変更すると良い。使い方は障害物のない面では従来どおり毛先全体を使い、狭い場所、入隅部分では鋭角部分を使って塗ると良い。    
【図面の簡単な説明】
【０００７】
【図１】本考案の斜視図である。
【図２】本考案を上から見た図である。
【符号の説明】
【０００８】
１柄
２植毛部分
３毛
【図１】
0003142520.tif 000003
【図２】
0003142520.tif 000004
(57)【要約】      （修正有）【課題】文字図形の書き込みだけではなく、紫外線照射も併せて行うことが出来る蛍光ペンを提供する。【解決手段】紫外線領域の波長を持つ光が照射されると発光する蛍光体を含んだ透明インキが充填されている蛍光ペン本体と、前記透明インキを発光させる紫外線領域の波長を持つ光を発する発光体が先端に取り付けられていると共に、内部には前記発光体の駆動回路及び電池が内蔵されており、外側に取り付けられているスイッチを操作することにより、前記発光体を任意に発光させる様になっているキャップ、とから蛍光ペンを構成した。【選択図】図２
0003142184.tif 000002
【実用新案登録請求の範囲】
【請求項１】
紫外線領域の波長を持つ光が照射されると発光する蛍光体を含んだ透明インキが充填されている蛍光ペン本体と、前記透明インキを発光させる紫外線領域の波長を持つ光を発する発光体が先端に取り付けられていると共に、内部には前記発光体の駆動回路及び電池が内蔵されており、外側に取り付けられているスイッチを操作することにより、前記発光体を任意に発光させられる様になっているキャップ、とから構成されたことを特徴とする蛍光ペン。
【考案の詳細な説明】
【技術分野】
【０００１】
この考案は蛍光ペン、詳しくは、紫外線領域の波長を持つ光を照射したとき、描かれた文字や図形が発光する現象を手軽に実現し得る蛍光ペンに関するものである。
【背景技術】
【０００２】
蛍光体を含むインキを用いて文字や図形を紙などに描いた場合、これに紫外線領域の波長を持つ光を照射すると、これら文字や図形が発光して、はっきりと視認できる様になる現象は従来より知られており、この現象を利用した技術は、各種装飾、偽造防止、真贋判定、情報保全、理科教育、各種催事の演出などの色々な分野において広く用いられている。
【特許文献１】特開２００６−７７１９１公報
【特許文献２】特開２００６−２０５５００公報
【特許文献３】特表２００７−５０８９７１公報
【非特許文献１】なし
【考案の開示】
【考案が解決しようとする課題】
【０００３】
上記紫外線領域の波長を持つ光の照射による文字図形の発光には、蛍光ペンとブラックライトペンライトなどと呼ばれている紫外線照射用のフラッシュライトが用いられ、紙などの記録媒体への文字や図形の書き込みには蛍光ペンを用いると共に、紫外線の照射にはこのブラックライトペンライトを用いる、という様に、機能の全く異なった別々の器材が必要であり、これらを予め用意しておかなければこの現象を発現させられなかった。このことが、紫外線領域の波長を持つ光の照射による蛍光文字や図形の発光という大変面白くかつ有用な現象の日常生活への応用普及を阻げる大きな要因となっていた。
【０００４】
本考案者は、この現象を手軽に実現出来る器材を提供すべく鋭意研究を行った結果、文字図形の書き込みだけではなく、紫外線照射も併せて行うことが出来る便利な蛍光ペンを開発することに成功し、本考案としてここに提案するものである。
【課題を解決するための手段】
【０００５】
紫外線領域の波長を持つ光が照射されると発光する蛍光体を含んだ透明インキが充填されている蛍光ペン本体と、前記透明インキを発光させる紫外線領域の波長を持つ光を発する発光体が先端に取り付けられていると共に、内部には前記発光体の駆動回路及び電池が内蔵されており、外側に取り付けられているスイッチを操作することにより、前記発光体を任意に発光させる様になっているキャップ、とから蛍光ペンを構成することにより、上記課題を解決した。
【実施例】
【０００６】
図１はこの考案に係る蛍光ペンの側面図、図２は同じくペン本体からキャップをはずした状態の側面図である。これら図１及び図２に示す様に、この蛍光ペンはペン本体１とこのペン本体１に被せるキャップ２の２部分から構成されている。ペン本体１は先端にペン先３が形成されており、その後方のペン軸４の内部には紫外線の照射によって発光する蛍光体を含んだ透明インキが収容されており、ペン先３に逐次供給される様になっている。なお、透明インキとは蛍光体を紙などの記録媒体に固着させる為のバインダーを含んだ透明な液体である。
【０００７】
一方、キャップ２の先端には、インキ中の蛍光体が反応する紫外線領域の波長を持つ光を発する発光体５が取り付けられている。なお、この発光体５としては消費電力や耐久性などの見地からＬＥＤが好ましい。そして、キャップ２の内部には、この発光体５を駆動する駆動回路及び電池が内蔵されており、キャップ２の側面に設けられたスイッチ６を操作することにより、発光体５を点灯／消灯させることが出来る様になっている。
【０００８】
この考案は、上記の通りの構成を有するものであり、ペン本体１のペン先３で紙など記録媒体に所望の文字や図形を描けば、描いた文字や図形は可視光に対しては透明で、不可視状態に置かれる。一方、キャップ２のスイッチ６を操作し、発光体５を点灯し、発光体５の発する紫外線７を透明インキで描かれた文字や図形に照射すると、透明インキ中の蛍光体がこれに反応し、鮮やかに発光する。従って、この発光体５がキャップ２に取り付けられた蛍光ペンを用いれば、わざわざ紫外線照射用のフラッシュライトを用いなくとも、文字や図形を発光させることが可能で、秘密の連絡や秘密情報の交換など、記録やコミュニケーションの場において遊び心を大いに刺激することが出来るだけではなく、各種装飾や偽造防止、更には真贋判定などの用にも供することが出来る。又、製造コストもそれ程かからず、大きさも手頃であるので、販売促進のツールとしても極めて有効である。
【図面の簡単な説明】
【０００９】
【図１】この考案に係る蛍光ペンの一実施例の側面図。
【図２】同じく、ペン本体からキャップをはずした状態の側面図。
【符号の説明】
【００１０】
１    ペン本体
２    キャップ
３    ペン先
４    ペン軸
５    発光体
６    スイッチ
７    紫外線
【図１】
0003142184.tif 000003
【図２】
0003142184.tif 000004
(57)【要約】      （修正有）【課題】穴壁の崩れや残土が生じにくく、土面にほぼ円形状の穴を簡便に形設することができる穴掘り具の提供。【解決手段】主軸棒１１の上部に回転操作棒２０を取り付けると共に、当該主軸棒の下部に複数の掘削刃３０を適宜間隔にて円列状に配設する。また、掘削刃３０の先端を内側に湾曲させて、切り取られた円柱状の土を脱落なく引き上げ易くすることもできる。【選択図】図２
0003142133.tif 000002
【実用新案登録請求の範囲】
【請求項１】
主軸棒の上部に回転操作棒を取り付けると共に、当該主軸棒の下部に複数の掘削刃を適宜間隔にて円列状に配設したことを特徴とする穴掘り具。
【請求項２】
主軸棒が、適宜間隔で付された目盛を備えていることを特徴とする請求項１記載の穴掘り具。
【請求項３】
掘削刃が、板状体から成り、かつ周方向に弧状湾曲していると共に、その下端部が湾曲しつつ若干内方に迫り出していることを特徴とする請求項１又は２記載の穴掘り具。
【請求項４】
掘削刃が、主軸棒の下部に取り付けられた連結軸棒を介して配設されていることを特徴とする請求項１〜３の何れか１項記載の穴掘り具。
【請求項５】
連結軸棒が、主軸棒の下部にＴ字状に取り付け固定された水平軸部と、この水平軸部の端部に取り付け固定された垂直軸部とから構成されていると共に、当該垂直軸部の下部に掘削刃が取り付け固定されていることを特徴とする請求項４記載の穴掘り具。
【請求項６】
２枚の掘削刃が対向配設されていることを特徴とする請求項１〜５の何れか１項記載の穴掘り具。
【考案の詳細な説明】
【技術分野】
【０００１】
本考案は穴掘り具、更に詳細には土面にほぼ円形状の穴を簡便に形設することができる穴掘り具に関する。
【背景技術】
【０００２】
従来、土面に穴を掘る際には、一般にシャベル等が汎用されている。
しかしながら、シャベルで穴を掘る場合は、まずシャベル刃部を土面に突き刺し、次いで梃子の原理で柄部を横〜下方向に押し倒しつつシャベル刃部を持ち上げることにより、土をすくい上げるものであったため、穴壁が崩れ易く、従ってまた穴底に残土が生じ易いと云う問題があったと共に、そもそも円形状の穴を形設することは困難なのが実状であった。
【考案の開示】
【考案が解決しようとする課題】
【０００３】
本考案は、上記の如き従来の問題と実状に鑑みてなされたもので、穴壁の崩れや残土が生じにくく、土面にほぼ円形状の穴を簡便に形設することができる穴掘り具を提供することを課題とする。
【課題を解決するための手段】
【０００４】
本考案者は、上記の課題を解決すべく種々検討を重ねた結果、梃子の原理によらず、円列状に配設された複数の掘削刃を土面に突き刺した後、回転せしめて掘削刃の間に土を挟み込んだ状態で引き上げれば、土を円柱状の状態で抜き取ることができるので、極めて良い結果が得られることを見い出し、本考案を完成した。
【０００５】
すなわち、本考案は、主軸棒の上部に回転操作棒を取り付けると共に、当該主軸棒の下部に複数の掘削刃を適宜間隔にて円列状に配設したことを特徴とする穴掘り具により上記課題を解決したものである。
【考案の効果】
【０００６】
本考案穴掘り具を用い、まず円列状に配設された複数の掘削刃先端を土面に突き刺し、次いで回転操作棒を円周方向に回転することにより当該掘削刃を円周方向に回動せしめつつ、更に深く土中に押し込み、然る後、引き上げれば、土が掘削刃の間に挟み込まれた円柱状の状態で抜き取られるので、穴壁の崩れや残土が生じにくい。従って、必要な深さまでこの作業を繰り返すことにより、ほぼ円形状の穴を容易に形設することができる。
【考案を実施するための最良の形態】
【０００７】
以下本考案の実施の形態を図面と共に説明する。
【０００８】
図１及び図２において、１０は柄部となる主軸棒で、その上部に回転操作棒２０が、Ｔ字状に取り付け固定されている。この主軸部１０の周壁面には、穴を掘る際に穴の深さの目印となる目盛１１が適宜間隔で付されている。
尚、主軸部１０及び回転操作棒２０の材質は、木、合成樹脂、金属等の如何を問わない。
【０００９】
３０は掘削刃で、主軸棒１０の下部に連結軸棒４０を介して、適宜間隔Ｌにて複数円列状に配設されている。より具体的には、連結軸棒４０は主軸棒１０の下部にＴ字状に取り付け固定された水平軸部４１と、この水平軸部４１の端部に取り付け固定された垂直軸部４２とから構成され、掘削刃３０は当該垂直軸部４２の下部に取り付け固定されている。
尚、掘削刃３０の材質は特に限定されないが、金属製とするのが望ましく、また連結軸棒４０の材質は、木、合成樹脂、金属等の如何を問わない。
【００１０】
掘削刃３０の数は、土を円柱状の状態で抜き取り可能な枚数であれば、特に限定されないが、図１〜３に示す実施の形態においては２枚の掘削刃３０を対向配設している。
【００１１】
掘削刃３０の形状は、単なる板状体であっても良いが、図２及び図３に示すように、板状体から成り、かつ円周方向に弧状湾曲していると共に、その下端部３１が湾曲しつつ若干内方に迫り出しているものが、回転操作棒２０による掘削刃３０の円周方向への回動が容易なため、土を円柱状の状態に切り取り易く、しかもその内方に迫り出した下端部３１により、当該切り取られた円柱状の土を脱落なく引き上げることができるので有利である。
【図面の簡単な説明】
【００１２】
【図１】本考案穴掘り具の正面説明図。
【図２】図１のＡ−Ａ線断面説明図。
【図３】図１のＢ−Ｂ線断面説明図。
【符号の説明】
【００１３】
１０：主軸棒
１１：目盛
２０：回転操作棒
３０：掘削刃
３１：下端部
４０：連結軸棒
４１：水平軸部
４２：垂直軸部
【図１】
0003142133.tif 000003
【図２】
0003142133.tif 000004
【図３】
0003142133.tif 000005
(57)【要約】      （修正有）【課題】建具の一部に明り採りを設ける襖等の間仕切り家具にあって、明り採りの位置、大きさを任意に形成できる間仕切り家具を提供する。【解決手段】内部に中骨や骨組みの桟を必要としない面材であるダンボール、発泡ウレタンの面材等を本体部１とし、該本体部の任意の部分を切り取ることにより、簡単に希望する位置に開口部３を形成でき、その後、該開口部３も含めて本体部１の片面あるいは両面の全体に障子紙など透光性、半透光性の材料からなる化粧紙４を貼る。【選択図】図１
0003142143.tif 000002
【実用新案登録請求の範囲】
【請求項１】
ダンボール、ハニカムボードあるいは発泡ウレタン等の面材からなる本体部１の任意の位置に、開口部設け、その開口部３も含めて本体部１の少なくとも片面全域に、透光性、半透光性の化粧紙を貼り合わせてなる明かり採りを形成した建具。
【請求項２】
化粧紙が、障子紙、布地、樹脂あるいは不織布である請求項１に記載の明かり採りを形成した建具。
【請求項３】
片面のみに化粧紙が貼られる場合に、本体部の開口部の切断端を被覆処理して切断端が露出しないようしてある請求項１あるいは２に記載の明かり採りを形成した建具。
【考案の詳細な説明】
【技術分野】
【０００１】
本考案は、一部に透光性あるいは半透光性の明かり採りを形成したダンボール、ハニカムボードあるいは発泡ウレタン等の面材からなる襖、間仕切り等の建具に関するものである。
【背景技術】
【０００２】
建具の一部に明かり採りを設けた間仕切り建具として、開口を設けてガラスを嵌め込んだ木製建具や障子などを組み込んだ源氏襖が存在する。
【特許文献１】実用登録第３０６２２３０号
【考案の開示】
【考案が解決しようとする課題】
【０００３】
木製の建具や障子は、内部に格子状の骨組み、桟が渡されているため、開口位置や形状の自由度が、その骨組みや桟の大きさにより制限されてしまう。また、嵌め込むガラス、アクリル板などの重量を有する透光材料を使用すると、それを保持するための枠を加工せねばならず、手間を要する。また、場合によっては骨組みをカットする加工をせねばならない。
したがって、明かり採りの位置、大きさを任意に形成することが難しく、また使用する材料分の重量が増してしまう。
【課題を解決するための手段】
【０００４】
本考案は、明かり採りの開口の位置や大きさを自由に設定することができ、製作手間の掛からない建具を提供することを目的とする。
そのため本考案は、内部に中骨や骨組みの桟を必要としない面材であるダンボール、ハニカムボードあるいは発泡ウレタンの面材等を本体部とし、本体部の任意の部分を簡単に切り取ることによって、希望する位置に自由に開口を形成でき、その開口を、光を透過する薄紙などの軽量材料でカバーするようにしたものである。
【考案の効果】
【０００５】
建具本体部を中骨や骨組みの桟を必要としないダンボール等を材料としてあることで、骨組みなどによって開口を設ける位置や大きさに制約をうけることがなく、所望の位置に所望の大きさの開口を設け明かり採りとすることができる。また、木製の建具と比較すると容易に切り取ることができ、開口を自由に設けられるので製作手間が掛からない。
さらに開口の上から透光材を貼ることで、切り取り面の枠加工等の特別な加工を施すことなく、切断面を隠すことができる。このことは開口部と周囲とが一体の面となって意匠性に優れたものとなっている。
【０００６】
また透光材の種類を簡単に貼り変えることで、同じ開口の大きさでも光の透過度を変えることも可能である。これにより間仕切りを閉めた状態でもやわらかな光を透すことが可能となる。
そしてまた、本体面材を切り取るので、その分、建具の軽量化を図れる。さらにはまた、切り取り部を元に戻すことで容易に復元も可能となっている。
【考案を実施するための最良の形態】
【０００７】
本考案に使用する建具は、方形のダンボール、ハニカムボードあるいは発泡ウレタン等の面材からなる本体部１の周囲に、４本の枠２a〜２ｄが取付けられている。これら面材からなる本体部は、それ自身強度を有するため内部に中骨や骨組みの桟を形成してない。
【０００８】
本体部１の希望する位置を、円、長円、正方形、長方形等の各種形状に開口し、その後、開口部３も含めて本体部１の片面あるいは両面の全体に障子紙などの薄い化粧紙４を貼ってある。貼り合わせるものは、障子紙でなくても、透光性、半透光性の材料であればよく、例えば、布地、樹脂、不織布などを化粧紙として使用しても良い。
片面のみに化粧紙を貼る場合には、他面側では開口部が表出するので、本体部の切断端５を被覆して切断端が露出しないように処理する。
【０００９】
このように構成することにより、昼間は開口部を有する明かり採りから自然光に近い光を室内に導入することが可能となり、また、隣室との一体感を得ることができ、意匠性のある建具を提供できる。
そして、開口部を設けることにより軽量化が図れるので、運搬等の取扱いが楽であり、また使用時の建具のスライドも楽となる。
【図面の簡単な説明】
【００１０】
【図１】本考案建具の正面図
【図２】開口部の拡大図
【符号の説明】
【００１１】
１    本体部
２    枠
３    開口部
４    化粧紙
５    開口部の切断端
【図１】
0003142143.tif 000003
【図２】
0003142143.tif 000004